(57)【要約】【課題】表示体が大型化した場合であってもＥＶＦ筐体が大型化することのない電子ビューファインダー及び電子カメラを提供する。【解決手段】ＥＶＦ筺体３の内部に液晶パネル等の表示体４を配置し、その表示体４の画像表示面の前方に表示体４により表示された画像をその光軸と直交する方向へ反射する鏡１を配置し、更に、表示体４と鏡１との間に表示体４により表示された画像を縮小する縮小レンズ５を配置する。この構成では、表示体４により表示された画像を縮小レンズ５により縮小して投射範囲を狭めることができるため、外形の大きな表示体４を使用した場合であっても鏡１を大型化する必要がなくなり、結果的にＥＶＦ筐体３の大型化を抑えることができる。【選択図】図１
2014126689.tif 000002
【特許請求の範囲】
【請求項１】
画像を表示する表示体と、
当該表示体により表示された前記画像を所定の方向へ反射する鏡と、
前記表示体と前記鏡を収容すると共に前記鏡により反射された前記画像を外部へ出射させる出射用窓部が設けられたＥＶＦ筺体と、
前記表示体の画像表示面から前記鏡の反射面に至るまでの光路上に配置され、前記表示体により表示された前記画像を縮小する縮小レンズと、
を備えたことを特徴とする電子ビューファインダー。
【請求項２】
前記ＥＶＦ筺体に設けられた前記出射用窓部に拡大レンズを備えたことを特徴とする請求項１に記載の電子ビューファインダー。
【請求項３】
画像を表示する表示体と、
当該表示体を収容すると共に当該表示体により表示された前記画像を外部へ出射させる出射用窓部が設けられた電子カメラ筺体と、
当該電子カメラ筺体に設けられた前記出射用窓部から前記電子カメラ筺体の外部へ出射した前記画像を内部へ入射させる入射用窓部と、当該入射用窓部から内部へ入射した前記画像を外部へ出射させる出射用窓部とが設けられたＥＶＦ筐体と、
当該ＥＶＦ筐体の内部に収容されると共に当該ＥＶＦ筐体に設けられた前記入射用窓部から当該ＥＶＦ筐体の内部へ入射した前記画像を所定の方向へ反射する鏡と、
前記表示体の画像表示面から前記鏡の反射面に至るまでの光路上に配置され、前記表示体により表示された前記画像を縮小する縮小レンズと、
を備えたことを特徴とする電子カメラ。
【請求項４】
前記ＥＶＦ筺体に設けられた前記出射用窓部に拡大レンズを備えたことを特徴とする請求項３に記載の電子カメラ。
【発明の詳細な説明】
【技術分野】
【０００１】
本発明は電子ビューファインダー及び電子カメラに関するものである。
【背景技術】
【０００２】
図３は従来の電子ビューファインダーを示す概略図である。従来、電子ビューファインダー（ＥＶＦ）の構成として、ＥＶＦ筺体３の内部に液晶パネル等の表示体４を配置し、その表示体４により表示された画像を前方に配置した鏡１で光軸と直交する方向へ反射し、反射された画像をＥＶＦ筺体３の長手方向一端部に配置した拡大レンズ２を通して観察するものがある。（例えば、特許文献１参照）
【先行技術文献】
【特許文献】
【０００３】
【特許文献１】特開２００３−１５３０４４号公報
【発明の概要】
【発明が解決しようとする課題】
【０００４】
従来の電子ビューファインダーでは、表示体が大きくなると、その大きさに合わせて鏡を大きくする必要があり、鏡が大きくなった分、ＥＶＦ筐体が大きくなってしまうという欠点があった。
【０００５】
本発明は以上のような問題点を解決しようとするもので、表示体が大型化した場合であってもＥＶＦ筐体が大型化することのない電子ビューファインダー及び電子カメラを提供することを目的とする。
【課題を解決するための手段】
【０００６】
画像を表示する表示体と、当該表示体により表示された前記画像を所定の方向へ反射する鏡と、前記表示体と前記鏡を収容すると共に前記鏡により反射された前記画像を外部へ出射させる出射用窓部が設けられたＥＶＦ筺体と、前記表示体の画像表示面から前記鏡の反射面に至るまでの光路上に配置され、前記表示体により表示された前記画像を縮小する縮小レンズと、を備えた電子ビューファインダーとする。
【０００７】
前記ＥＶＦ筺体に設けられた前記出射用窓部に拡大レンズを備えた電子ビューファインダーとすることができる。
【０００８】
画像を表示する表示体と、当該表示体を収容すると共に当該表示体により表示された前記画像を外部へ出射させる出射用窓部が設けられた電子カメラ筺体と、当該電子カメラ筺体に設けられた前記出射用窓部から前記電子カメラ筺体の外部へ出射した前記画像を内部へ入射させる入射用窓部と、当該入射用窓部から内部へ入射した前記画像を外部へ出射させる出射用窓部とが設けられたＥＶＦ筐体と、当該ＥＶＦ筐体の内部に収容されると共に当該ＥＶＦ筐体に設けられた前記入射用窓部から当該ＥＶＦ筐体の内部へ入射した前記画像を所定の方向へ反射する鏡と、前記表示体の画像表示面から前記鏡の反射面に至るまでの光路上に配置され、前記表示体により表示された前記画像を縮小する縮小レンズと、を備えた電子カメラとする。
【０００９】
前記ＥＶＦ筺体に設けられた前記出射用窓部に拡大レンズを備えた電子カメラとすることができる。
【発明の効果】
【００１０】
本発明によれば、表示体の画像を縮小する縮小レンズを、表示体と鏡との間に配置することにより、大きな表示体を使用した場合であってもＥＶＦ筐体の大型化を抑えることができる。
【図面の簡単な説明】
【００１１】
【図１】本発明による電子ビューファインダーの一実施形態を示す概略図である。
【図２】本発明による電子カメラの一実施形態を示す概略図である。
【図３】従来の電子ビューファインダーを示す概略図である。
【発明を実施するための形態】
【実施例１】
【００１２】
図１は本発明による電子ビューファインダーの一実施形態を示す概略図である。本実施形態の電子ビューファインダー（ＥＶＦ）では、図１に示すように、表示体４がＥＶＦ筐体３の下側の内面に配置されている。表示体４の画像表示面はＥＶＦ筺体３の上側の内面に向けられている。表示体４は例えば液晶パネルや有機ＥＬ素子などで構成される。表示体４の画像表示面の前方には、鏡１が配置されている。鏡１は表示体４により表示された画像をその光軸と直交する方向へ反射するように、反射面を表示体４の画像表示面に対して４５°傾けて配置されている。表示体４と鏡１との間には、表示体４により表示された画像を縮小する縮小レンズ５が配置されている。ＥＶＦ筺体３の長手方向一端部には、鏡１により反射された画像を拡大する拡大レンズ２が配置されている。
【００１３】
表示体４により表示された画像はまず縮小レンズ５を通過して所定の大きさに縮小される。縮小された画像は鏡１によりその光軸と直交する方向へ反射され、拡大レンズ２を通過して所定の大きさに拡大される。観察者はその拡大された画像を観察する。
【実施例２】
【００１４】
図２は本発明による電子カメラの一実施形態を示す概略図である。本実施形態の電子カメラでは、図２に示すように、電子カメラ筺体６の上部にＥＶＦ筺体３が取り付けられている。電子カメラ筺体６の内部には、表示体４が配置されている。表示体４の画像表示面はＥＶＦ筺体３側に向けられている。表示体４は例えば液晶パネルや有機ＥＬ素子等で構成され、例えば電子カメラで撮影した動画や静止画が表示される。表示体４とＥＶＦ筺体３との間の電子カメラ筺体６の一部には、表示体４により表示された画像をＥＶＦ筺体３の外部へ通過させるための窓部８が設けられている。窓部８は透明部材（透明平板等）や開口部で構成される。表示体４と窓部８との間には、表示体４の画像を縮小する縮小レンズ５が配置されている。
【００１５】
電子カメラ筺体６の窓部８と対向するＥＶＦ筺体３の一部には、表示体４により表示された画像をＥＶＦ筺体３の内部へ通過させるための窓部７が設けられている。窓部７は透明部材（透明平板等）や開口部で構成される。ＥＶＦ筺体３の窓部７とＥＶＦ筺体３の上側の内面との間には、鏡１が配置されている。鏡１は表示体４により表示された画像をその光軸と直交する方向へ反射するように、反射面を表示体４の画像表示面に対して４５°傾けて配置されている。ＥＶＦ筺体３の長手方向一端部には、鏡１により反射された画像を拡大する拡大レンズ２が配置されている。
【００１６】
表示体４により表示された画像はまず縮小レンズ５を通過して所定の大きさに縮小される。縮小された画像は電子カメラ筺体６の窓部８とＥＶＦ筺体３の窓部７を通ってＥＶＦ筺体３の内部へ進み、鏡１によりその光軸と直交する方向へ反射された後、拡大レンズ２を通過して所定の大きさに拡大される。観察者はその拡大された画像を観察する。
【００１７】
本発明において、拡大レンズ２は必須の構成ではなく、縮小レンズ５により縮小された画像をそのまま観察するような場合には、省略することが可能である。この場合、ＥＶＦ筺体３の画像を外部へ出射させる部位には、縮小レンズ５の代わりに透明部材（透明平板等）や開口部で構成される窓部を設ける。
【００１８】
また、鏡１の反射面の角度は表示体４の画像表示面に対して４５°に限定されるものではなく、画像を観察する方向に応じて適宜変更が可能である。
【００１９】
また、縮小レンズ５は表示体４の画像表示面から鏡１の反射面に至るまでの光路上であればどこに配置しても良い。しかし、表示体４により表示された画像を十分に縮小して鏡１に投射させるには、縮小レンズ５と鏡１との間にある程度の距離が必要であることから、縮小レンズ５は表示体４の画像表示面に近接させて配置するのが好ましい。
【符号の説明】
【００２０】
１  鏡
２  拡大レンズ（出射用窓部）
３  ＥＶＦ筺体
４  表示体
５  縮小レンズ
６  電子カメラ筺体
７  窓部（入射用窓部）
８  窓部（出射用窓部）
【図１】
2014126689.tif 000003
【図２】
2014126689.tif 000004
【図３】
2014126689.tif 000005